(57)【要約】【課題】遊技店の不測の不利益の発生を未然に防止することができる、遊技機に並設される貸出処理機の解錠制御システム及び解錠制御方法を提供することを目的とする。【解決手段】本発明の解錠制御システムは、予めリモコンＩＤが登録されている管理装置１０と、精算機２０と、台間機３０とを有し、予めリモコンＩＤが記憶されているリモコン４０は、紙幣回収作業の際に台間機３０に対してこのリモコンＩＤと共に解錠要求を送信する。リモコン４０から送信されたリモコンＩＤは管理装置へ送信され、管理装置１０では、このリモコンＩＤと管理装置に登録されているリモコンＩＤとを照合して一致する場合に台間機３０の解錠を許可する。そして、管理装置１０は、リモコンＩＤを変更するリモコンＩＤ変更部１４を備え、精算機２０は、リモコン４０に対して変更されたリモコンＩＤを変更するリモコンＩＤ変更指示部２４ｃをさらに備えた。【選択図】          図１
2007125172.tif 000002
【特許請求の範囲】
【請求項１】
遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御システムにおいて、
前記解錠許可認証情報を変更する解錠許可認証情報変更手段と、
前記解錠許可認証情報変更手段による前記解錠許可認証情報の変更に応じて前記解錠要求認証情報を変更する解錠要求認証情報変更手段と
を備えたことを特徴とする解錠制御システム。
【請求項２】
前記解錠要求認証情報及び前記解錠許可認証情報は、前記遠隔操作装置毎にユニークであることを特徴とする請求項１に記載の解錠制御システム。
【請求項３】
前記解錠要求認証情報変更手段は、前記解錠要求認証情報の変更に先立って所定のデータ入力を求め、該データが正当なものであるか否かを判定する判定手段を含み、該判定手段により前記データが正当なものであると判定された場合に前記解錠要求認証情報を変更することを特徴とする請求項１又は２に記載の解錠制御システム。
【請求項４】
前記管理装置が前記解錠許可認証情報を予め記憶し、前記解錠許可認証情報変更手段を備えていることを特徴とする請求項１〜３のいずれか一つに記載の解錠制御システム。
【請求項５】
前記管理装置は、前記解錠許可認証情報変更手段により変更された前記解錠許可認証情報を前記貸出処理機へ送信する送信手段をさらに備え、
前記貸出処理機は、受信した前記解錠許可認証情報に基づいて該貸出処理機の解錠制御を行うことを特徴とする請求項４に記載の解錠制御システム。
【請求項６】
前記解錠要求認証情報変更手段は、前記管理装置から受信した前記解錠許可認証情報に基づいて前記解錠要求認証情報を変更することを特徴とする請求項５に記載の解錠制御システム。
【請求項７】
前記貸出処理機は、有価価値が価値付けられた記録媒体を受け付けて遊技媒体の貸出処理を行う機能を有し、
前記記録媒体を受け付けて精算処理を行う精算機が、前記解錠要求認証情報変更手段を備えたことを特徴とする請求項１〜６のいずれか一つに記載の解錠制御システム。
【請求項８】
前記管理装置は、前記解錠許可認証情報変更手段により何れの前記解錠許可認証情報が変更されたかを、前記精算機に対して通知する通知手段をさらに備えたことを特徴とする請求項７に記載の解錠制御システム。
【請求項９】
前記精算機が、前記通知手段により通知される、前記解錠許可認証情報変更手段により変更された前記解錠許可認証情報に対応する項目の一覧を表示する表示手段をさらに備え、
前記解錠要求認証情報変更手段は、前記一覧から選択された前記項目に対応する解錠要求認証情報を以って前記遠隔操作装置に記憶される解錠要求認証情報を変更することを特徴とする請求項８に記載の解錠制御システム。
【請求項１０】
遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御システムにおいて、
前記遠隔操作装置は、前記解錠要求認証情報を記録した記録媒体から該解錠要求認証情報を読み出す解錠要求認証情報読み出し手段を備え、
前記管理装置は、
前記解錠要求認証情報読み出し手段により読み出された前記解錠要求認証情報が、解錠操作を行う権限を有するものであるか否かを認証する認証手段と、
前記認証手段による認証結果が解錠操作を行う権限を有するものであるとされる場合に前記貸出処理機の解錠を許可する解錠許可手段と
を備えたことを特徴とする解錠制御システム。
【請求項１１】
前記解錠要求認証情報及び前記解錠許可認証情報は、前記遠隔操作装置毎にユニークであることを特徴とする請求項１０に記載の解錠制御システム。
【請求項１２】
前記管理装置は、前記貸出処理機に対する操作権限の情報を前記解錠要求認証情報に対応付けて管理する操作権限管理手段をさらに備え、
前記認証手段は、前記権限管理手段により管理される前記操作権限の情報に基づいて前記解錠要求認証情報が解錠操作を行う権限を有するものであるか否かを認証することを特徴とする請求項１０又は１１に記載の解錠制御システム。
【請求項１３】
前記管理装置に記憶される前記解錠許可認証情報を変更する解錠許可認証情報変更手段と、
前記解錠許可認証情報変更手段による前記解錠許可認証情報の変更に応じて、前記記録媒体に記録される前記解錠要求認証情報を変更する解錠要求認証情報変更手段と
をさらに備えたことを特徴とする請求項１０〜１２のいずれか一つに記載の解錠制御システム。
【請求項１４】
遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御方法において、
前記解錠許可認証情報を変更する解錠許可認証情報変更工程と、
前記解錠許可認証情報変更工程による前記解錠許可認証情報の変更に応じて前記解錠要求認証情報を変更する解錠要求認証情報変更工程と
を含んだことを特徴とする解錠制御方法。
【請求項１５】
遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御方法において、
前記遠隔操作装置は、前記解錠要求認証情報を記録した記録媒体から該解錠要求認証情報を読み出す解錠要求認証情報読み出し工程を含み、
前記管理装置は、
前記解錠要求認証情報読み出し手段により読み出された前記解錠要求認証情報が、解錠操作を行う権限を有するものであるか否かを認証する認証工程と、
前記認証工程による認証結果が解錠操作を行う権限を有するものであるとされる場合に前記貸出処理機の解錠を許可する解錠許可工程と
を含んだことを特徴とする解錠制御方法。
【発明の詳細な説明】
【技術分野】
【０００１】
本発明は、遠隔操作装置による解錠操作の指示があった場合に、遠隔操作装置により記憶される解錠要求認証情報を管理装置に予め記憶されている解錠許可認証情報と照合した結果に基づいて貸出処理機の解錠制御を行う解錠制御システム及び解錠制御方法に関し、特に、貸出処理機に貯留される紙幣を、セキュリティを確保しつつ効率よく回収することができる解錠制御システム及び解錠制御方法に関する。
【背景技術】
【０００２】
従来、遊技店に設置されるパチンコ機やパチスロ機などの遊技機に並設され、貨幣の投入に応じてパチンコ玉やメダルなどの遊技媒体の貸し出し処理を行う貸出処理機（以下、「台間機」と言う）が知られている。台間機の貨幣貯留部には、投入された貨幣が貯留されるが、貯留される貨幣の盗難を防止するために、施錠されていることが一般的である。
【０００３】
台間機の貨幣貯留部に蓄積される貨幣が許容量を超えた場合や遊技店の閉店時には、蓄積された貨幣を回収する作業が必要となる。この作業では、台間機毎に解錠作業を行わなければならない。ところが、遊技店に設置される台間機は多数（数百台）にのぼり、かかる台間機の貨幣貯留部の解錠は、作業の効率性を阻害するものであった。
【０００４】
このため、例えば特許文献１には、遊技店の従業員にリモコン装置を介して暗証番号を入力させ、この暗証番号が正しいと認証される場合にのみ解錠する台間機が開示されている。かかる台間機では、リモコン装置を介した暗証番号の入力のみで自動的に解錠が行われるため、作業効率を向上させることができた。
【０００５】
【特許文献１】特開２００５−６５７３３号公報
【発明の開示】
【発明が解決しようとする課題】
【０００６】
しかしながら、上記特許文献１に代表される従来技術では、従業員により入力される暗証番号のみでセキュリティを確保しているため、リモコン装置と共に暗証番号が不正な第三者に盗用されると、この第三者により台間機の貨幣貯留部の解錠が行われ、貯留された貨幣が窃取されるおそれがあるという問題があった。
【０００７】
具体的には、上記特許文献１によれば、確かに暗証番号を入力させることによって、リモコン装置が窃取された場合であっても、暗証番号が漏洩さえしなければこのリモコン装置を不正に使用されることを防止することが出来た。しかし、暗証番号までもがリモコン装置と共に盗用された場合には、リモコン装置を使用する使用者が正当な使用者であるかどうかを検証することは不可能であり、第三者が正当な使用者になりすましてリモコン装置を使用することが出来る。
【０００８】
このことから、台間機の解錠を指示するリモコン装置が窃取されると共に、その解錠のセキュリティを確保するための暗証番号が第三者へ漏洩してしまった場合に、この第三者によるリモコン装置の不正使用をいかにして抑制するかがきわめて重要な課題となっている。
【０００９】
本発明は、上記問題点（課題）を解決するためになされたものであって、リモコン装置が窃取されると共に、その暗証番号が第三者へ漏洩してしまった場合であっても、この第三者による不正なリモコン装置使用を抑制し、もって遊技店の不測の不利益の発生を未然に防止することができる、遊技機に並設される貸出処理機の解錠制御システム及び解錠制御方法を提供することを目的とする。
【課題を解決するための手段】
【００１０】
上述した課題を解決し、目的を達成するため、本発明は、遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御システムにおいて、前記解錠許可認証情報を変更する解錠許可認証情報変更手段と、前記解錠許可認証情報変更手段による前記解錠許可認証情報の変更に応じて前記解錠要求認証情報を変更する解錠要求認証情報変更手段とを備えたことを特徴とする。
【００１１】
また、本発明は、上記発明において、前記解錠要求認証情報及び前記解錠許可認証情報は、前記遠隔操作装置毎にユニークであることを特徴とする。
【００１２】
また、本発明は、上記発明において、前記解錠要求認証情報変更手段は、前記解錠要求認証情報の変更に先立って所定のデータ入力を求め、該データが正当なものであるか否かを判定する判定手段を含み、該判定手段により前記データが正当なものであると判定された場合に前記解錠要求認証情報を変更することを特徴とする。
【００１３】
また、本発明は、上記発明において、前記管理装置が前記解錠許可認証情報を予め記憶し、前記解錠許可認証情報変更手段を備えていることを特徴とする。
【００１４】
また、本発明は、上記発明において、前記管理装置は、前記解錠許可認証情報変更手段により変更された前記解錠許可認証情報を前記貸出処理機へ送信する送信手段をさらに備え、前記貸出処理機は、受信した前記解錠許可認証情報に基づいて該貸出処理機の解錠制御を行うことを特徴とする。
【００１５】
また、本発明は、上記発明において、前記解錠要求認証情報変更手段は、前記管理装置から受信した前記解錠許可認証情報に基づいて前記解錠要求認証情報を変更することを特徴とする。
【００１６】
また、本発明は、上記発明において、前記貸出処理機は、有価価値が価値付けられた記録媒体を受け付けて遊技媒体の貸出処理を行う機能を有し、前記記録媒体を受け付けて精算処理を行う精算機が、前記解錠要求認証情報変更手段を備えたことを特徴とする。
【００１７】
また、本発明は、上記発明において、前記管理装置は、前記解錠許可認証情報変更手段により何れの前記解錠許可認証情報が変更されたかを、前記精算機に対して通知する通知手段をさらに備えたことを特徴とする。
【００１８】
また、本発明は、上記発明において、前記精算機が、前記通知手段により通知される、前記解錠許可認証情報変更手段により変更された前記解錠許可認証情報に対応する項目の一覧を表示する表示手段をさらに備え、前記解錠要求認証情報変更手段は、前記一覧から選択された前記項目に対応する解錠要求認証情報を以って前記遠隔操作装置に記憶される解錠要求認証情報を変更することを特徴とする。
【００１９】
また、本発明は、遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御システムにおいて、前記遠隔操作装置は、前記解錠要求認証情報を記録した記録媒体から該解錠要求認証情報を読み出す解錠要求認証情報読み出し手段を備え、前記管理装置は、前記解錠要求認証情報読み出し手段により読み出された前記解錠要求認証情報が、解錠操作を行う権限を有するものであるか否かを認証する認証手段と、前記認証手段による認証結果が解錠操作を行う権限を有するものであるとされる場合に前記貸出処理機の解錠を許可する解錠許可手段とを備えたことを特徴とする。
【００２０】
また、本発明は、上記発明において、前記解錠要求認証情報及び前記解錠許可認証情報は、前記遠隔操作装置毎にユニークであることを特徴とする。
【００２１】
また、本発明は、上記発明おいて、前記管理装置は、前記貸出処理機に対する操作権限の情報を前記解錠要求認証情報に対応付けて管理する操作権限管理手段をさらに備え、前記認証手段は、前記権限管理手段により管理される前記操作権限の情報に基づいて前記解錠要求認証情報が解錠操作を行う権限を有するものであるか否かを認証することを特徴とする。
【００２２】
また、本発明は、上記発明において、前記管理装置に記憶される前記解錠許可認証情報を変更する解錠許可認証情報変更手段と、前記解錠許可認証情報変更手段による前記解錠許可認証情報の変更に応じて、前記記録媒体に記録される前記解錠要求認証情報を変更する解錠要求認証情報変更手段とをさらに備えたことを特徴とする。
【００２３】
また、本発明は、遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御方法において、前記解錠許可認証情報を変更する解錠許可認証情報変更工程と、前記解錠許可認証情報変更工程による前記解錠許可認証情報の変更に応じて前記解錠要求認証情報を変更する解錠要求認証情報変更工程とを含んだことを特徴とする。
【００２４】
また、本発明は、遊技機に並設されるとともに貨幣の受け入れによって該遊技機に対して遊技媒体の貸出処理を行う貸出処理機と、前記貸出処理機を管理する管理装置と、前記貸出処理機を遠隔操作する遠隔操作装置とを有し、前記遠隔操作装置から解錠操作の指示があった場合に、該遠隔操作装置に記憶される解錠要求認証情報を、予め記憶されている解錠許可認証情報と照合した結果に基づいて前記貸出処理機の解錠制御を行う解錠制御方法において、前記遠隔操作装置は、前記解錠要求認証情報を記録した記録媒体から該解錠要求認証情報を読み出す解錠要求認証情報読み出し工程を含み、前記管理装置は、前記解錠要求認証情報読み出し手段により読み出された前記解錠要求認証情報が、解錠操作を行う権限を有するものであるか否かを認証する認証工程と、前記認証工程による認証結果が解錠操作を行う権限を有するものであるとされる場合に前記貸出処理機の解錠を許可する解錠許可工程とを含んだことを特徴とする。
【発明の効果】
【００２５】
本発明によれば、解錠許可認証情報を変更する解錠許可認証情報変更手段と、解錠許可認証情報変更手段による解錠許可認証情報の変更に応じて解錠要求認証情報を変更する解錠要求認証情報変更手段とを備えたので、任意に解錠許可認証情報を変更して解錠要求認証情報を変更し、解錠許可認証情報及び解錠要求認証情報を動的に付与することができ、以って解錠許可認証情報及び解錠要求認証情報の不測の漏洩に対処して解錠制御システムのセキュリティの確保を図ることができるという効果を奏する。
【００２６】
また、本発明によれば、解錠要求認証情報及び解錠許可認証情報により遠隔操作装置をユニークに識別することができ、もって遠隔操作装置の特定が可能となり該遠隔操作装置による遠隔操作の正当性を担保することができるという効果を奏する。
【００２７】
また、本発明によれば、判定手段によりデータが正当なものであると判定された場合に解錠要求認証情報を変更するので、悪意の第三者によって解錠要求認証情報が変更されるという事故を防止することができるという効果を奏する。
【００２８】
また、本発明によれば、遊技店の奥にあって第三者が容易に立ち入ることができない事務所に設置される管理装置にて解錠許可認証情報の変更を行うこととなるので、悪意の第三者によりみだりに解錠許可認証情報が変更されることを防止し、以って解錠許可認証情報の変更に関するセキュリティを確保することができるという効果を奏する。
【００２９】
また、本発明によれば、管理装置は、解錠許可認証情報変更手段により変更された解錠許可認証情報を貸出処理機へ送信する送信手段をさらに備え、貸出処理機は、受信した解錠許可認証情報に基づいて該貸出処理機の解錠制御を行うので、解錠制御を貸出処理機ローカルで実行し、迅速な処理を実現することができるという効果を奏する。
【００３０】
また、本発明によれば、解錠要求認証情報変更手段は、管理装置から受信した解錠許可認証情報に基づいて解錠要求認証情報を変更するので、管理装置に記憶される解錠許可認証情報に関連性を持たせて解錠要求認証情報を変更することができるという効果を奏する。
【００３１】
また、本発明によれば、記録媒体を受け付けて精算処理を行う精算機が、解錠要求認証情報変更手段を備えたので、遊技店の従業員が遊技店の遊技フロアにおいて解錠処理対象の装置付近で遠隔操作装置の解錠要求認証情報の変更を行うことができるという利便性を発揮するのみならず、例えば従業員によって遊技店の事務所などに設置される管理装置などの高度なセキュリティの確保を要求される装置がみだりに操作されるという事態を回避し、以って管理装置などの高度なセキュリティの確保を要求される装置のセキュリティを確保することができるという効果を奏する。
【００３２】
また、本発明によれば、管理装置が通知手段を備えたので、解錠許可認証情報変更手段により何れの解錠許可認証情報が変更されたかを速やかに通知、報知し、解錠許可認証情報変更手段による解錠許可認証情報の変更に迅速に応じて、解錠許可認証情報変更手段により解錠要求認証情報を変更することができ、以って解錠制御システムのセキュリティの確保を図ることができるという効果を奏する。
【００３３】
また、本発明によれば、精算機が、通知手段により通知される、解錠許可認証情報変更手段により変更された解錠許可認証情報に対応する項目の一覧を表示する表示手段をさらに備え、解錠要求認証情報変更手段は、一覧から選択された前記項目に対応する解錠要求認証情報で遠隔操作装置に記憶される解錠要求認証情報を変更するので、解錠要求認証情報の変更が必要な遠隔操作装置を視覚的に通知することができ、以って解錠要求認証情報の変更作業の効率性・利便性が向上するという効果を奏する。
【００３４】
また、本発明によれば、遠隔操作装置は、解錠要求認証情報を記録した記録媒体から該解錠要求認証情報を読み出す解錠要求認証情報読み出し手段を備え、管理装置は、解錠要求認証情報読み出し手段により読み出された解錠要求認証情報が、解錠操作を行う権限を有するものであるか否かを認証する認証手段と、認証手段による認証結果が解錠操作を行う権限を有するものであるとされる場合に貸出処理機の解錠を許可する解錠許可手段とを備えたので、外部的に記憶される解錠要求認証情報に基づいて解錠権限の有無の認証が行われ貸出処理機の解錠が許可されうることとなり、遠隔操作装置と記録媒体との両方が揃って初めて該解錠を要求しうることから、解錠要求の正当性の確保を図ることができるという効果を奏する。
【００３５】
また、本発明によれば、貸出処理機に対する操作権限の情報を解錠要求認証情報に対応付けて管理する操作権限管理手段をさらに備え、認証手段は、権限管理手段により管理される操作権限の情報に基づいて解錠要求認証情報が解錠操作を行う権限を有するものであるか否かを認証するので、解錠要求認証情報に基づいて多様な操作権限を管理することとなり、以って解錠制御システムの利便性を向上させることができるという効果を奏する。
【００３６】
また、本発明によれば、前記管理装置に記憶される解錠許可認証情報を変更する解錠許可認証情報変更手段と、解錠許可認証情報変更手段による解錠許可認証情報の変更に応じて、記録媒体に記録される解錠要求認証情報を変更する解錠要求認証情報変更手段とを備えたので、任意に解錠許可認証情報を変更して解錠要求認証情報を変更し、解錠許可認証情報及び解錠要求認証情報を動的に付与することができ、以って解錠許可認証情報及び解錠要求認証情報の不測の漏洩に対処して解錠制御システムのセキュリティの確保を図ることができるという効果を奏する。
【発明を実施するための最良の形態】
【００３７】
以下に添付図面を参照して、本発明に係る、遊技機に並設される貸出処理機の解錠制御システム及び解錠制御方法の好適な実施の形態を説明する。なお、以下に示す実施例では、本発明をパチンコ機の台間に配設される遊技球貸出機である台間機に適用した場合を説明するが、本発明はこれに限定されるものではなく、パチスロ機の台間に配設されるメダル貸出機に適用することもできる。また、遊技店に設置される精算機、島端金庫などにも適用可能である。以下に示す実施例では、貸出処理機を紙幣が挿入される装置とするが、これに限らず、プリペイドカードが挿入される装置、硬貨が投入される装置であってもよい。
【実施例１】
【００３８】
図１は、実施例１に係る、遊技機に並設される貸出処理機の解錠制御システム及び解錠制御方法の概略を説明するための説明図である。本実施例１では、貸出処理機を台間機３０とし、遠隔操作装置をリモコン４０とする例を示す。本実施例１では、リモコン４０をユニークに識別する識別情報としてリモコンＩＤを使用する例を示す。台間機３０の解錠操作の際に、リモコン４０からの遠隔操作が真性な操作者によるものであることを保証する方法として、リモコン４０単位に予め管理装置１０に登録されているユニークなリモコンＩＤをリモコン４０自体にも記憶させ、リモコン４０の操作時に、リモコン４０に記憶されるリモコンＩＤと管理装置１０で管理されるリモコンＩＤとが一致することにより確認する方法をとる。
【００３９】
なお、管理装置１０には台間機３０の解錠許可認証情報としてのリモコンＩＤが予め登録されているものとし、リモコン４０の記憶部４４には台間機３０の解錠要求認証情報としてのリモコンＩＤが予め記憶されているものとする。
【００４０】
同図に示すように、実施例１に係る解錠制御システムでは、管理装置１０で管理されるリモコンＩＤが変更され、この変更に応じて管理装置１０と、精算機２０と、リモコン４０とを用いてリモコン４０が記憶するリモコンＩＤの変更処理を行い、変更されたリモコンＩＤを用いて台間機３０の解錠などの遠隔操作を行うようにした点に特徴がある。
【００４１】
ここで、管理装置１０とは、遊技店に設置されたすべての台間機３０を管理する装置であり、遊技店の事務所など一般の遊技客が入室不可能な部屋に設置されることが通常である。また、精算機２０とは、遊技店のホールに複数台設置され、プリペイドカードなどの残度数に応じた現金を払い出す処理を行う装置である。そして、リモコン４０とは、同図に示す台間機３０の解錠指示などの遠隔操作を行う装置であり、遊技店の従業員はこのリモコン４０を携帯することが一般的である。
【００４２】
従来においても、台間機３０の解錠などの遠隔操作にリモコンを用いることが一般的であった。この場合、従業員がリモコン４０を用いて台間機を遠隔操作するときには、暗証番号などのように操作者が真性であることを確認することができる情報を毎回入力させ、この暗証番号が正しい暗証番号であることの確認処理を経た上で紙幣回収作業などの作業を行うこととされていた。
【００４３】
しかし、紙幣回収作業の都度、暗証番号を入力することは煩雑であり、従業員の作業負荷を高めてしまっていた。また、リモコン４０の盗難と同時に暗証番号が漏洩してしまうと、リモコン４０と暗証番号を不正に入手した第三者によるなりすましを防止することができず、作業管理の信頼性を損ねかねなかった。
【００４４】
また、リモコン４０にリモコンＩＤを固定的に付与する方式も考えられる。しかし、これでは、紙幣回収作業の都度、暗証番号を入力することの煩雑さを回避できるものの、リモコン４０が窃取された場合に、リモコン４０が第三者によって不正操作されることの抑制、回避は不可能であった。
【００４５】
そこで、本実施例１に係る解錠制御システムでは、管理装置１０が各リモコン４０用の設定情報を一括して管理し、設定情報に含まれるリモコンＩＤが変更された設定情報の一覧を精算機２０に送信することとした。このようにすることで、従業員は、自己が携帯するリモコン４０のリモコンＩＤの変更をこの精算機２０で行うことができる。また、事務所に設置された管理装置１０ではなく、ホールに設置された精算機２０でリモコン４０のリモコンＩＤの変更ができるので、従業員の利便性を高めることができるとともに、管理装置１０のセキュリティ性が低下することを防止することができる。
【００４６】
具体的には、管理装置１０においてリモコン４０のリモコンＩＤの変更をおこなう場合には各従業員が管理装置１０を操作することが必要となるが、管理装置１０の操作を一般の従業員に許可すると誤操作や悪意の操作によって管理装置１０のセキュリティ性が低下してしまう。したがって、本実施例１のように精算機２０においてリモコン４０のリモコンＩＤの変更をおこなうこととすれば、かかる問題点を回避することが可能となるとともに、リモコン４０による操作対象装置（例えば台間機３０など）が設置されたホールでデータ変更をおこなうことができるので従業員の利便性を向上させることが可能となる。
【００４７】
図１によると、（１）先ず管理装置１０にてリモコンＩＤの変更が行われる。このリモコンＩＤの変更は、操作者による操作によって変更されるものであってもよいし、管理装置１０により自動的に変更されるものであってもよい。管理装置１０により自動的に変更されるものである場合、所定の時間毎に変更されるものであってもよい。（２）そしてリモコンＩＤが変更されたことの情報が精算機２０へ送信される。（３）続いてリモコンＩＤが変更されたリモコン４０の設定情報、例えばリモコン番号と従業員名とが組み合わされた情報（以下「組み合わせ情報」と言う）が、リモコンＩＤ変更情報一覧表示として精算機２０の操作画面に表示される。従業員がリモコン４０のリモコンＩＤの変更を行う場合に、リモコン４０の赤外線発光部を精算機２０の赤外線受光部へ向けてリモコン４０の変更確認ボタン４０ａを押下する。すると、精算機２０の操作表示部には管理装置１０から送信された、リモコンＩＤが変更となったリモコン４０の組み合わせ情報の一覧が表示される。（４）つづいて、従業員がこの一覧の中から自己の氏名が示されたボタンを選択すると、選択されたボタンに対応するリモコンＩＤがリモコン４０において変更されて記憶される。
【００４８】
（５）その一方で、管理装置１０から全ての台間機３０へ、当該リモコンＩＤが変更されたリモコン４０の設定情報が送信される。これを受信した台間機３０は、変更されたリモコンＩＤを記憶する。即ち各台間機３０には、紙幣回収作業以前に、管理装置１０から上記の設定情報が送信されているのである。
【００４９】
（６）そして、従業員は、データ変更が行われたリモコン４０を用いて紙幣回収などの作業を実行する。この場合、リモコン４０に設定されたリモコンＩＤが台間機３０に対して自動的に送信され、台間機３０に記憶されるリモコンＩＤと照合されるので、従業員は従業員コードや暗証番号といった入力操作を行う必要がない。各台間機３０は、リモコン４０から受信した設定情報が管理装置１０から送信された設定情報に含まれる場合に、当該リモコン４０による遠隔操作を許可する。なお、データ登録可能なリモコン４０を構成すると、リモコン４０からデータを盗用されるおそれがあるが、本実施例１に係る解錠制御システムでは、管理装置１０で随時リモコンＩＤを変更することができるので、このような情報漏洩に対処し、セキュリティ性を確保することが可能となる。
【００５０】
次に、図１に示した管理装置１０、精算機２０及び台間機３０を含む解錠制御システムのネットワーク構成について説明する。図２は、図１に示した解錠制御システムのネットワーク構成例を示す図である。同図に示すように、本実施例に係る遊技媒体貸出システムは、管理装置１０と、精算機２０とを有しており、管理装置１０は遊技店の事務所内に、精算機２０は遊技フロアにそれぞれ設置される。
【００５１】
そして、遊技ホールには遊技島ごとに設けられた島コントローラ配下に、複数の台間機と遊技機とが設けられている。また、これらの各装置は、ＬＡＮ（Local Area Network）などの回線を介して管理装置１０と通信可能に構成されている。ここで、遊技島とは、遊技ホールの通路で囲まれたエリアのことを指し、島コントローラとは、遊技島に設置された台間機や遊技機といった装置を束ねる装置のことを指す。そして、各台間機３０や遊技機はこの島コントローラを介して管理装置１０とデータの送受信を行う。
【００５２】
遊技店の従業員はリモコン４０を携帯しており、遊技ホールに設置された精算機２０で自己が携帯するリモコン４０のリモコンＩＤを変更し、リモコンＩＤ変更済のリモコン４０を用いて台間機の遠隔操作を行うことになる。なお、同図には、一台の精算機２０を示しているが、この精算機２０の設置台数は任意の数とすることができる。
【００５３】
次に、図１に示した精算機２０及びリモコン４０の外観について、図３及び図４を用いて説明する。図３は精算機２０の外観を示す正面図であり、図４はリモコン４０の外観を示す上面図である。
【００５４】
図３に示すように、精算機２０は、データ表示およびデータ入力受付を行うＬＣＤ（Liquid Crystal Display）／タッチパネル２０ａと、リモコン４０との間で双方向の通信を行う赤外線送受光部２０ｂとを備えている。なお、同図では、リモコン４０との間の通信に赤外線を用いる場合について示しているが、これに限らず、電波を用いた通信を行うこととしてもよい。
【００５５】
この精算機２０は、プリペイドカードなどの残度数に応じた現金を払い出す処理を行う装置であり、上記した処理部（２０ａおよび２０ｂ）とともに、プリペイドカードなどのカードを受け付けるためのカード受付部、カードの残度数に応じた貨幣を払い出すための紙幣払出部および硬貨払出部を備えている。
【００５６】
また、図４に示すように、リモコン４０は、数字ボタンや各種機能ボタンを備えている。そして、同図に示す変更確認ボタン４０ａが押下されると、精算機２０のＬＣＤ／タッチパネル２０ａに、リモコンＩＤ変更情報一覧が表示される。そして、変更ボタン４０ｂが押下されると、精算機２０から変更用リモコンＩＤを取得する処理が行われ、取得したリモコンＩＤが内部の記憶部に記憶される。なお、リモコン４０を用いて台間機２０へ遠隔操作指示を出力する場合は、台間機２０の紙幣貯留部を解錠するためのロック解除ボタン４０ｄ、台間機２０に貯留されるプリペイドカードの回収を行うためのカード回収ボタン４０ｅ、台間機２０で発生したエラーを復旧させるためのエラー解除ボタン４０ｆなどを操作することになる。また、リモコン４０は、変更ボタン４０ｂが押下され、リモコンＩＤの変更処理が正常完了したことを報知する報知ＬＥＤ４０ｃが備えられている。
【００５７】
次に、図１に示した解錠制御システムの構成装置である管理装置１０の構成について説明する。図５は、管理装置１０の内部構成を示す機能ブロック図である。同図に示すように、管理装置１０は、入力部１１と、出力部１２と、Ｉ／Ｆ部１３と、制御部１４と、記憶部１５とを有する。さらに、制御部１４は、リモコンＩＤ変更部１４ａと、設定情報送信部１４ｂとを備えており、記憶部１５は、設定情報１５ａを記憶している。
【００５８】
入力部１１は、キーボードやマウス、ＣＤ−ＲＯＭなどの可搬記憶媒体の読み取り装置といった入力デバイスであり、リモコンＩＤ変更の入力に用いられる。また、出力部１２は、ディスプレイ装置や、プリンタ装置といった出力デバイスであり、上記したリモコンＩＤを入力するための画面や、入力されたリモコンＩＤの一覧画面などを表示したり、管理装置１０が管理するデータをプリントアウトしたりといった処理を行う。また、Ｉ／Ｆ部１３は、ＬＡＮボードなどの通信デバイスから構成され、精算機２０や台間機３０とのデータ送受信を行う。
【００５９】
制御部１４は、入力部１１を介してリモコンＩＤの変更を受け付けて記憶部１５に記憶させ、精算機２０に対してリモコンＩＤ変更情報の一覧を送信するとともに、精算機２０において一覧の中から特定の項目が選択されたならば、その旨を設定情報１５ａに登録するとともに、精算機２０に対して選択項目に該当するリモコンＩＤを送信する処理を行う処理部である。
【００６０】
リモコンＩＤ変更部１４ａは、出力部１２に入力画面を表示し、入力部１１を介して受け付けたリモコンＩＤを設定情報１５ａとして記憶部１５に記憶させる処理を行う処理部である。また、このリモコンＩＤ変更部１４ａは、精算機２０から、リモコンにて変更したいデータに関する情報をＩ／Ｆ部１３を介して受け取ったならば、該当する設定情報１５ａに登録済みである旨のマーク（例えばオンされたフラグなど）をつける処理を行う処理部でもある。
【００６１】
設定情報送信部１４ｂは、精算機２０に対してリモコンＩＤ変更情報の一覧を送信するとともに、かかる一覧から選択されたデータに関する情報を精算機２０から受けとったならば、精算機２０に対して該当するリモコンＩＤを送信する処理を行う処理部である。
【００６２】
記憶部１５は、磁気ディスク装置や不揮発性メモリなどから構成された記憶部であり、リモコン４０に登録するための情報である設定情報１５ａを記憶する。ここで、この設定情報１５ａの一例について図６を用いて説明する。
【００６３】
図６は、設定情報１５ａの一例を示す図である。同図に示すように、この設定情報１５ａは、リモコン４０を識別するための番号である「リモコン番号」と、リモコン４０を使用する従業員の氏名をあらわす「使用者」と、リモコン４０を用いて行うことができる作業の権限をあらわす「権限」と、リモコン４０が正当であることを認証するために用いられる「リモコンＩＤ」とを含んだ情報である。そして、このリモコンＩＤは、リモコンＩＤ変更操作が受け付けられる度にリモコンＩＤ変更部１４ａによって変更され、変更されたリモコンＩＤがあらたに割り振られる。なお、このリモコンＩＤの変更は、乱数に基づいて自動生成されたリモコンＩＤを変更後のリモコンＩＤとするが、設定情報１５ａに重複登録されないように、「リモコンＩＤ」をキー項目として重複登録を防止することとする。変更のために乱数に基づいて生成したリモコンＩＤが、既登録のリモコンＩＤと重複する場合は、再度リモコンＩＤを乱数に基づいて生成する。これらの処理を「リモコンＩＤ」の項目の変更のために生成した新しいリモコンＩＤが登録可能となるまで繰返すこととなる。
【００６４】
図６に示した場合について説明すると、リモコン番号が「１」のリモコン４０は「Ａさん」が使用し、このＡさんには紙幣の回収作業が許可されており、リモコン４０を認証するためのリモコンＩＤは「１２３４」であることが示されている。また、リモコン番号が「３」のリモコン４０は「Ｃさん」が使用し、このＣさんには紙幣の回収作業が許可されておらず、リモコン４０を認証するためのリモコンＩＤは「９０１２」であることが示されている。
【００６５】
次に、図１に示した解錠制御システムの構成装置である精算機２０の構成について説明する。図７は、精算機２０の内部構成を示す機能ブロック図である（ただし、同図は、精算機２０が有する機能のうちリモコン４０へのリモコンＩＤ変更処理に関連する要素のみを抜粋したものである）。同図に示すように、精算機２０は、表示操作部２１と、Ｉ／Ｆ部２２と、リモコンＩ／Ｆ部２３と、制御部２４と、記憶部２５とを備えている。また、制御部２４は、リモコンＩＤ要求部２４ａと、リモコンＩＤ受信部２４ｂと、リモコンＩＤ変更指示部２４ｃとをさらに備えており、記憶部２５はリモコンＩＤ変更情報２５ａを記憶している。
【００６６】
表示操作部２１は、タッチパネル付きの液晶ディスプレイなどから構成され、操作画面を表示するとともに、入力操作を受け付ける処理を行う処理部である。なお、リモコンＩＤ変更に関する処理を開始する際には、所定の暗証番号を入力させることとし、入力された暗証番号の認証に成功したことを条件としてリモコンＩＤ変更情報の一覧を表示するようにしてもよい。また、この表示操作部２１は、図３に示した精算機２０の外観図におけるＬＣＤ／タッチパネル２０ａに相当する。
【００６７】
Ｉ／Ｆ部２２は、ＬＡＮボードなどの通信デバイスから構成され、管理装置１０との間でデータ送受信を行う処理部である。また、リモコンＩ／Ｆ部２３は、赤外線送受光装置などのデバイスから構成され、リモコン４０との間でデータ送受信を行う処理部である。なお、このリモコンＩ／Ｆ部２３は、図３に示した精算機２０の外観図における赤外線送受光部２０ｂに相当する。なお、本実施例１においては、リモコン４０との間の通信に赤外線を用いる場合について示しているが、これに限らず、電波を用いた通信を行うこととしてもよい。
【００６８】
制御部２４は、表示操作部２１を介して選択された「組み合わせ情報」に対応するリモコンＩＤをリモコン４０に対して設定する処理を行う処理部である。リモコンＩＤ要求部２４ａは、表示操作部２１に表示された「組み合わせ情報」の一覧から選択されたデータに対応するリモコンＩＤを、管理装置１０に対して要求する処理を行う処理部である。また、リモコンＩＤ受信部２４ｂは、リモコンＩＤ要求部２４ａが要求したリモコンＩＤを管理装置１０から受け取り、受け取ったリモコンＩＤをリモコンＩＤ変更指示部２４ｃに渡す処理を行う処理部である。
【００６９】
リモコンＩＤ変更指示部２４ｃは、リモコンＩＤ受信部２４ｂから渡されたデータを、リモコンＩ／Ｆ部２３を介してリモコン４０に対して設定する処理を行う処理部である。例えばこのリモコンＩＤ変更指示部２４ｃは、リモコン４０の変更ボタン３０ｂが押下されると、管理装置１０から取得したリモコンＩＤをリモコン４０に対して設定する。
【００７０】
記憶部２５は、磁気ディスク装置や不揮発性メモリなどから構成された記憶部であり、管理装置１０から取得した「組み合わせ情報」の一覧をリモコンＩＤ変更情報２５ａとして記憶する。そして、このリモコンＩＤ変更情報２５ａは表示操作部２１に表示される。
【００７１】
次に、上記した表示操作部２１に表示されるリモコン設定画面の画面例について図８及び図９を用いて説明する。図８は、精算機２０の画面例を示す図であり、図９は、精算機の画面例を示す図である。リモコン４０を携帯した従業員が、リモコン４０の変更確認ボタン４０ａを操作することによってリモコンＩＤ変更確認を実行すると、表示操作部２１には図８の８ａに示す画面が表示される。この画面は、図６に示した「リモコン番号」および「使用者」を表示した選択ボタンを含んでいる。
【００７２】
例えばＡさんが使用するリモコン番号が０１のリモコンＩＤが変更されており、これに応じてＡさんがリモコンＩＤの変更を行う場合には、図８の８ａの画面に表示された選択ボタンの中から、「０１Ａさん」と表示された選択ボタンを選択する。そして、「０１Ａさん」と表示された選択ボタンが選択されると、表示操作部２１には図８の８ｂに示した画面が表示される。この画面では、「０１Ａさん」という選択ボタンが選択された旨と、選択されたリモコン番号に対応するリモコンＩＤを管理装置１０に対して問い合わせ中である旨とを表示する。
【００７３】
なお、本実施例１では、図８の８ａの画面に表示された選択ボタンを選択した場合に、ただちに図８の８ｂに画面遷移する場合について説明するが、選択ボタンが選択された際に、各従業員に割り当てられた暗証番号の入力を求める画面を表示し、入力された暗証番号が正当であることを条件として図８の８ｂに示した画面を表示することとしてもよい。また、選択ボタンが選択された際に、従業員が携帯するリモコン４０から変更前のリモコンＩＤを読み出し、読み出した変更前のリモコンＩＤが正当であることを条件として図８の８ｂに示した画面を表示することとしてもよい。
【００７４】
続いて、精算機２０が上記したリモコンＩＤの取得処理を完了すると、表示操作部２１には、図９の９ａに示す画面が表示される。従業員が、この画面の指示にしたがってリモコン４０の変更ボタン４０ｂを押下すると、かかるリモコンＩＤがリモコン４０に対して送信され、リモコンへのリモコンＩＤ変更を完了した旨が図９の９ｂに示す画面に表示される。
【００７５】
なお、図８及び図９においては、精算機２０の表示操作部２１に表示された選択ボタンが選択されたタイミングで、該当するリモコンＩＤを管理装置１０から取得する場合について説明した。しかしながら、これに限らず、リモコンＩＤを含んだ情報を管理装置１０から精算機２０に予め送信しておくこととし、選択ボタンが選択された際に記憶部２５からリモコンＩＤを読み出してリモコン４０に登録するよう構成してもよい。
【００７６】
次に、図１に示した解錠制御システムの構成装置であるリモコン４０の構成について説明する。図１０は、リモコン４０の内部構成を示す機能ブロック図である。同図に示すように、リモコン４０は、Ｉ／Ｆ部４１と、操作部４２と、制御部４３と、記憶部４４とを備えている。また、制御部４３は、リモコンＩＤ変更部４３ａと、送信部４３ｂとをさらに備えており、記憶部４４は、固有情報４４ａを記憶している。
【００７７】
Ｉ／Ｆ部４１は、赤外線送受光装置などのデバイスから構成され、精算機２０あるいは台間機３０との間でデータ送受信を行う処理部である。なお、本実施例１においては、精算機２０あるいは台間機３０との間の通信に赤外線を用いる場合について示しているが、これに限らず、電波を用いた通信を行うこととしてもよい。また、操作部４２は、数字ボタンや各機能ボタンを備えたデバイスである。
【００７８】
制御部４３は、上記したリモコンＩＤを含んだ情報を精算機２０から受け取って記憶部４４に記憶させるとともに、台間機３０を遠隔操作する際には、記憶部４４に記憶させた情報を台間機３０に対して送信する処理を行う処理部である。
【００７９】
リモコンＩＤ変更部４３ａは、上記したリモコンＩＤを、Ｉ／Ｆ部４１を介して精算機２０から受け取って、記憶部４４に固有情報４４ａとして記憶させる処理を行う処理部である。また、送信部４３ｂは、操作部４２において所定の操作が行われた場合に、記憶部４４から固有情報４４ａを読み出し、読み出した固有情報４４ａを台間機３０に対して送信する処理を行う処理部である。なお、上記したように、リモコンＩＤの変更を条件としてリモコンＩＤの変更を行うよう精算機２０を構成した場合には、この送信部４３ｂが精算機２０に対しても固有情報４４ａを送信するよう構成してもよい。
【００８０】
次に、図１に示した解錠制御システムの初期処理における処理手順について説明する。図１１は、初期処理における処理手順を示すフローチャートである。同図に示すように、遊技店の管理者などが管理装置１０のリモコンＩＤ変更部１４ａを介して設定情報１５ａのリモコンＩＤを変更すると（ステップＳ１０１）、設定情報送信部１４ｂは、リモコンＩＤを変更された設定情報１５ａを記憶部１５から読み出して精算機２０に対して送信する（ステップＳ１０２）。そして、管理装置１０から設定情報１５ａを受信した精算機１０では、この設定情報１５ａをリモコンＩＤ変更情報２５ａとして記憶部２５に記憶させ（ステップＳ１０３）、処理を終了する。
【００８１】
続いて、ステップＳ１０２と同様に、管理装置１０では、設定情報送信部１４ｂがリモコンＩＤを変更された設定情報１５ａを記憶部１５から読み出して精算機２０に対して送信する（ステップＳ１０４）。そして、管理装置１０から設定情報１５ａを受信した台間機３０では、この設定情報１５ａを記憶部に記憶させ（ステップＳ１０５）、処理を終了する。
【００８２】
次に、図１に示した解錠制御システムのリモコン変更処理における処理手順について図１２を用いて説明する。図１２は、リモコン変更処理における処理手順を示すフローチャートである。同図に示すように、精算機２０の赤外線送受光部２０ｂが、リモコン４０の変更確認ボタン４０ａが押下操作されたことを検知すると（ステップＳ２０１肯定）、図８の８ａに示した画面が表示操作部２１に表示される（ステップＳ２０２）。なお、リモコンＩＤ変更開始を検知しなかった場合には（ステップＳ２０１否定）、ステップＳ２０１の処理を繰り返すことになる。
【００８３】
つづいて、図８の８ａに表示された選択ボタンの選択が完了したことを検知すると(ステップＳ２０３肯定)、精算機２０のリモコンＩＤ要求部２４ａは、選択されたボタンに対応するリモコンＩＤを管理装置１０に対して問い合わせる処理を行う（ステップＳ２０４）。なお、選択ボタンの選択が完了していない場合には（ステップＳ２０３否定）、ステップＳ２０３の処理を繰り返すことになる。
【００８４】
精算機２０からのリモコンＩＤの問い合わせを受けた管理装置１０は、該当するリモコンＩＤを、設定情報１５ａを検索することによって記憶部１５から読み出し、設定情報送信部１４ｂが、読み出したリモコンＩＤを精算機２０に対して送信する（ステップＳ２０５）。なお、精算機２０は、管理装置１０から送信されたリモコンＩＤを受信すると、リモコンＩＤ受信部２４ｂが、受信したリモコンＩＤをリモコンＩＤ変更指示部２４ｃへ渡す処理を行う。
【００８５】
そして、従業員が精算機２０に表示された画面の指示（図９の９ａ）に従って、リモコン４０の赤外線送受光部を精算機２０の赤外線送受光部２０ｂに向けた状態でリモコン４０の変更ボタン４０ｂを押下したならば（ステップＳ２０６肯定）、リモコン４０はリモコンＩＤの要求を精算機２０に対して行い（ステップＳ２０７）、精算機２０は、管理装置から送信されたリモコンＩＤを、この要求に応答してリモコン４０に送信し（ステップＳ２０８）、当該送信したリモコンＩＤに対応するリモコンＩＤ変更情報を記憶部から消去する（ステップＳ２０９）。そして、リモコン４０の設定部４３ａは、受信したリモコンＩＤを固有情報４４ａとして記憶部４４に記憶させ（ステップＳ２０９）、処理を終了する。
【００８６】
上述してきたように、本実施例１では、精算機２０の表示操作部２１が、管理装置１０から取得したリモコンＩＤ変更情報の一覧を表示し、精算機２０のリモコンＩＤ要求部２４ａが、該一覧から選択された情報に対応するリモコンＩＤを管理装置１０に対して要求し、精算機２０のリモコンＩＤ受信部２４ｂが管理装置１０からリモコンＩＤを受信したならば、リモコン４０において所定の操作が行われたことを条件としてリモコンＩＤをリモコン４０に対して送信するよう構成した。また、リモコン３０のリモコンＩＤ変更部４３ａが、精算機１０から受信したデータを固有情報として記憶部４４に記憶させ、台間機３０の操作を行う際には、リモコン４０の送信部４３ｂが固有情報４４ａを記憶部４４から読み出して台間機３０に対して送信するよう構成した。したがって、セキュリティ性の低下をもたらすことなくリモコン操作を行った人を特定して認証することができるとともに、リモコン操作の煩雑さを改善することができる。
【００８７】
なお、上述した実施例１においては、リモコン４０へのリモコンＩＤ変更機能を精算機２０に持たせた場合について説明したが、かかるリモコンＩＤ変更機能を備えたデータ登録用専用装置をあらたに構成することとしてもよい。また、遊技店における遊技媒体貸出システムを構成する他の装置（例えばカード発行機など）にリモコンＩＤ変更機能を持たせることとしてもよい。
【実施例２】
【００８８】
図１３は、実施例２に係る、遊技機に並設される貸出処理機の解錠制御システム及び解錠制御方法の概略を説明するための説明図である。本実施例２では、実施例１同様に貸出処理機を、紙幣を挿入する台間機３０とし、遠隔操作装置をリモコン４０とする例を示す。本実施例２では、リモコン４０をユニークに識別する識別情報として、リモコン４０に着脱可能に挿入されるＩＣカードに記憶される従業員属性の「ＩＤ」を使用する例を示す。台間機３０の解錠操作の際に、リモコン４０からの遠隔操作が真性な操作者によるものであることを保証する方法として、リモコン４０の操作時に、従業員単位に予め管理装置１０に登録されているユニークな「ＩＤ」と、リモコン４０によりＩＣカードから読み出される「ＩＤ」とが一致することにより確認する方法をとる。
【００８９】
なお、管理装置１０には台間機３０の解錠許可認証情報としての「ＩＤ」が予め登録されているものとし、ＩＣカードには台間機３０の解錠要求認証情報としての「ＩＤ」が予め記憶されているものとする。
【００９０】
同図に示すように、実施例２に係る解錠制御システムでは、「ＩＤ」が紐付けられたＩＣカードをリモコン４０に挿入し、リモコン４０がこのＩＤを読み取って台間機３０へ送信し、該ＩＤが台間機３０から管理装置１０へ送信される。この「ＩＤ」を受信した管理装置１０では、予め登録される「ＩＤ」と照合処理を行い、一致する場合に台間機３０へ解錠許可を指示する。このようにして該「ＩＤ」を用いて台間機３０の解錠などの遠隔操作を行うようにした点に特徴がある。
【００９１】
従来においても、台間機３０の解錠などの遠隔操作にリモコンを用いることは一般的であったが、暗証番号などのように操作者が真性であることを確認することができる情報を遠隔操作の度に入力させ、この暗証番号が正しい暗証番号であることの確認処理を経た上で紙幣回収作業などの作業を行うこととされていた。これは、紙幣回収作業の効率性を阻害するのみならず、リモコンが暗証番号と共に窃取されてしまうと、第三者によるリモコンの不正使用を防止し切れなかった。
【００９２】
そこで本実施例２では、従業員ＩＤカードなどのＩＣカードが着脱可能なリモコン４０に該ＩＣカードを挿入し、このＩＣカードから読み出された「ＩＣカードＮｏ」及び「ＩＤ」をリモコン４０から台間機３０を経由して管理装置１０へ送信する。「ＩＣカードＮｏ」及び「ＩＤ」を受信した管理装置１０では、「ＩＣカードＮｏ」に対応する「ＩＤ」が、予め管理装置１０に登録されているものと一致するか否かを判断して、一致するとする場合にのみ台間機３０に対して解錠を許可する指示を送信する。よって、リモコン４０の操作者は、有効な「ＩＣカードＮｏ」及び「ＩＤ」を記憶しているＩＣカードをリモコンと共に所持する必要がある。実施例２では、この両者の組み合わせがあって初めてリモコン４０の操作が可能となるため、たとえリモコン４０又はＩＣカードのいずれか一方が窃取されたとしても、第三者によるリモコン４０の不正使用を防止することができる。また、管理装置１０では、「ＩＣカードＮｏ」に対して種々の操作権限の可否に関する情報を管理しているため、実施例２の解錠制御システムでは、台間機３０のみならず、島端金庫や精算機等に対しても個別に操作権限を設定可能である。以って、１台のリモコンによって複数の貨幣管理装置の解錠制御を管理することができる。
【００９３】
図１３によると、（１）先ずリモコン４０にＩＣカードが挿入される。このＩＣカードには、「ＩＣカードＮｏ」及び「ＩＤ」が記憶されている。このＩＣカードは、リモコン４０に着脱可能なものである。そして、リモコン４０は、リモコン４０に挿入されたＩＣカードから「ＩＣカードＮｏ」及び「ＩＤ」が読み取る。（２）そしてリモコン４０から台間機３０へ、「ＩＣカードＮｏ」及び「ＩＤ」が送信される。（３）続いて台間機３０から管理装置１０へ、「ＩＣカードＮｏ」及び「ＩＤ」が送信される（４）続いて管理装置１０では、記憶部に記憶される登録情報を受信した「ＩＣカードＮｏ」を基に検索してＩＤを読み出す。この読み出されたＩＤと受信したＩＤとを照合して一致するか否かを判断して認証する。（５）前述の認証で２つのＩＤが一致すると判断された場合に、台間機３０に対して認証ＯＫの情報を送信する。（６）この認証ＯＫの情報を受信した台間機３０は、施錠機構を制御して解錠する。（７）こうして台間機３０からの紙幣回収作業が可能となる。
【００９４】
このように解錠制御システムを構成すると、台間機３０の解錠の許可は、ＩＣカードに記憶されるＩＤによってのみ依存して判断されるので、自己が所持する従業員ＩＤカードをどのリモコン４０に挿入しても、自分の操作権限に応じた解錠許可がなされ、リモコン４０を選ばず利用することができ、利便性が向上する。また、リモコン４０の不正使用を防止するセキュリティ管理も、従業員ＩＤカードの管理を厳密に行うことに集約されるので、該セキュリティ管理を、信頼度を高めつつ容易ならしめることができる。
【００９５】
次に、図１３に示した解錠制御システムの構成装置である管理装置１０の構成について説明する。図１４は、図１３に示した管理装置１０の構成を示す機能ブロック図である。同図に示すように、この管理装置１０は、入力部１１と、出力部１２と、Ｉ／Ｆ部１３と、制御部１４と、記憶部１５とを有する。さらに制御部１４は、認証部１４ａを含んでなる。また、記憶部１５は、設定情報１５ａを記憶している。
【００９６】
入力部１１、出力部１２及びＩ／Ｆ部１３は、実施例１で示したものと同一の構成をもち、同様の機能を有する。制御部１４は、Ｉ／Ｆ部１３を介して台間機３０から「ＩＣカードＮｏ」及び「ＩＤ」を受信する。この「ＩＣカードＮｏ」に基づいて記憶部１５の設定情報１５ａに問い合わせを実行し、対応するＩＤを取得する。そして、取得したＩＤと、先に受信したＩＤとを照合し一致するか否かを判断する。一致すると判断する場合は、Ｉ／Ｆ部１３を介して台間機３０へ認証ＯＫの情報を送信し、一致しないと判断する場合は、認証ＮＧの情報を送信する処理部である。
【００９７】
記憶部１５は、磁気ディスク装置や不揮発性メモリなどから構成された記憶部であり、リモコン４０の操作者のＩＤや操作権限を規定する情報である設定情報１５ａを記憶する。ここで、この設定情報１５ａの一例について後に図１６を用いて説明する。
【００９８】
次に、図１３に示した解錠制御システムの構成装置である台間機３０の構成について説明する。図１５は、台間機３０の構成を示す機能ブロック図である。同図に示すように、台間機３０は、リモコンＩ／Ｆ部３１と、紙幣スタック部３２と、表示部３３と、Ｉ／Ｆ部３４と、記憶部３５と、制御部３６とを備えている。
【００９９】
そして、記憶部３５は、金額情報３５ａを記憶している。制御部３６は、解錠指示受取部３６ａと、認証結果判定部３６ｂと、解錠処理部３６ｃと、送信部３６ｄと、受信部３６ｅとをさらに備えている。なお、台間機３０は、上記した遊技島に固定された枠体３０ｂと着脱可能に構成されており、上記したＩ／Ｆ部３４は枠体３０ｂに台間機３０がセットされた状態において枠体３０ｂ内のＩ／Ｆ部３０ｃと接続され、このＩ／Ｆ部３０ｃを介して島コントローラとのデータ通信を行う。
【０１００】
リモコンＩ／Ｆ部３１は、リモコン４０との間で赤外線や電波を送受信することによってデータ交換を行うデバイスであり、受信したデータを制御部３６の解錠指示受取部３６ａに渡す処理を行う。
【０１０１】
紙幣スタック部３２は遊技客によって挿入された紙幣の金種を判定するとともに、取り込んだ紙幣を内部に蓄積する装置であり、さらに、判定した金種に基づいて記憶部３５の金額情報３５ａを変更する処理を行う。また、この紙幣スタック部３２には制御部３６の解錠処理部３６ｃによって解錠／施錠が行われる鍵が設けられている。なお、紙幣スタック部３２に蓄積した紙幣の合計金額を算出する機能を持たせることとし、紙幣回収の検知などをトリガーとして算出した合計金額を金額情報３５ａとして登録することとしてもよい。
【０１０２】
表示部３３は、台間機３０の処理状態を示す状態ランプなどによって構成された表示デバイスである。例えば通常の施錠状態ではランプを消灯させ、リモコン４０からの解錠要求が受け付けられるとランプを点滅させるようにすると、解錠要求が受け付けられたことを容易に判別することができる。
【０１０３】
Ｉ／Ｆ部３４は、枠体３０ｂのＩ／Ｆ部３０ｃに接続されることによって、島コントローラや管理装置１０とデータ送受信を行うデバイスである。このＩ／Ｆ部３０は、制御部３６から受け取ったデータを島コントローラなどの外部装置に送信するとともに、外部装置から受け取ったデータを制御部３６に渡す処理を行う。
【０１０４】
記憶部３５は、磁気ディスク装置や不揮発性メモリなどから構成された記憶部であり、紙幣スタック部３２から受け取った蓄積紙幣の総額をあらわす金額情報３５ａを記憶するものである。
【０１０５】
金額情報３５ｂは、紙幣スタック部３２によって登録される情報であり、紙幣スタック部３２が検知した蓄積紙幣の総額をあらわす情報である。なお、本実施例２においては、紙幣が挿入されるたびに金額情報３５ａが変更される場合について説明したが、紙幣回収時に蓄積紙幣の総額を金額情報３５ａとして算出し、算出した金額情報３５ａを記憶部３５に登録するように構成してもよい。また、紙幣スタック部３２が内部から取り出された紙幣を検出する機能を有している場合には、取り出された紙幣の総額を金額情報３５ａとして登録することとしてもよい。
【０１０６】
制御部３６は、リモコン４０から「ＩＣカードＮｏ」及び「ＩＤ」、及び解錠要求を受け付けるとともに、受け付けた「ＩＣカードＮｏ」及び「ＩＤ」が正当であることを条件として、島コントローラから解錠要求を受信した場合には、該解錠要求に基づき解錠動作を制御する処理を行う処理部である。なお、本実施例２では、リモコン４０を介して「ＩＣカードＮｏ」及び「ＩＤ」、及び解錠要求を受け付ける場合について説明する。
【０１０７】
解錠指示受取部３６ａは、リモコンＩ／Ｆ部３１を介して「ＩＣカードＮｏ」及び「ＩＤ」、及び解錠要求を受け取り、受け取ったデータを送信部３６ｄに渡す処理を行う処理部である。なお、この解錠指示受取部３６ａは、受け取ったデータのフォーマットが不正である場合、例えば「ＩＣカードＮｏ」又は「ＩＤ」の桁数が規定外の場合などには、送信部３６ｄにデータを渡さないよう構成してもよい。また、この場合には、フォーマットが不正である旨を表示部３３に表示することとしてもよい。
【０１０８】
認証結果判定部３６ｂは、受信部３６ｅがＩ／Ｆ部３４を介して管理装置１０から受け取った認証結果を受信し、この認証結果を判断する処理を行う処理部である。例えば管理装置１０から受信した認証結果が認証ＯＫの場合には、解錠処理部３６ｃに対して解錠を指示する。他方で、管理装置１０から受信した認証結果が認証ＮＧの場合には、解錠処理部３６ｃに対して解錠を指示せず、表示部３３に認証ＮＧの情報を表示させる。
【０１０９】
解錠処理部３６ｃは、認証結果判定部３６ｂの指示に基づき、紙幣スタック部３２に設けられた鍵の解錠を制御する処理部である。例えばこの解錠処理部３６ｃは、認証結果判定部３６ｂから解錠指示を受け付けたならば、紙幣スタック部３２の鍵を解錠する処理を行う。
【０１１０】
送信部３６ｄは、解錠指示受取部３６ａが受け渡してきた「ＩＣカードＮｏ」及び「ＩＤ」をＩ／Ｆ部３４を介し、島コントローラを中継して管理装置１０に対して送信する処理を行う処理部である。受信部３６ｅは、Ｉ／Ｆ３４を介して管理装置１０から受信した認証結果を認証結果判定部３６ａへ受け渡す処理を行う処理部である。
【０１１１】
次に、図１４に示した設定情報１５ａの例について説明する。図１６は、図１４に示した設定情報１５ａが格納されるテーブルを示す。この識別情報１５ａは、ＩＣカードによってリモコン４０を識別するための「ＩＣカードＮｏ」と、この「ＩＣカードＮｏ」に１対１に対応付けられる「ＩＤ」と、当該ＩＣカードに基づいてリモコン４０を使用する従業員の氏名をあらわす「従業員名称」と、当該ＩＣカードに基づいてリモコン４０を操作する権限を示す「操作権限」とを含んだ情報である。「ＩＣカードＮｏ」及び「ＩＤ」はユニークな情報である。さらに「操作権限」には、具体的な操作、例えば台間機３０から紙幣を回収する権限である「現金管理」と、台間機３０からプリペイドカードを回収する権限である「カード管理」と、台間機３０で発生した処理エラーの復帰・解除を行う権限である「エラー解除」と、精算機２０の現金格納部の扉の解錠権限である「精算機扉」と、島端金庫の扉の解錠権限である「金庫扉」とがある。
【０１１２】
「ＩＣカードＮｏ」毎にそれぞれ規定される各「操作権限」には、「ＯＫ」又は「ＮＧ」の情報が対応付けられている。「ＯＫ」は当該操作の権限を有することを意味し、「ＮＧ」は当該操作の権限を有しないことを意味する。例えば「ＩＣカードＮｏ」が「００００１」のレコードは、従業員名称「Ａさん」、ＩＤ「Ｐ３２Ｑ５８Ａ」、現金管理「ＯＫ」、カード管理「ＯＫ」、エラー解除「ＯＫ」、精算機扉「ＯＫ」、金庫扉「ＯＫ」である。即ち「Ａさん」は、ＩＤ「Ｐ３２Ｑ５８Ａ」によって認証され、全ての操作権限を有することが分かる。他方「ＩＣカードＮｏ」が「００００３」のレコードには、従業員名称「Ｃさん」、ＩＤ「Ｓ５８Ａ６６Ｂ」、現金管理「ＯＫ」、カード管理「ＯＫ」、エラー解除「ＯＫ」、精算機扉「ＮＧ」、金庫扉「ＮＧ」である。即ち「Ｃさん」は、ＩＤ「Ｓ５８Ａ６６Ｂ」によって認証され、現金管理、カード管理、エラー解除の権限は有するが、精算機扉及び金庫扉の解錠の権限は有さないことが分かる。
【０１１３】
次に、図１３に示した解錠制御システムで用いられるＩＣカード１００について説明する。図１７は、ＩＣカード１００の外観を示す図である。ＩＣカード１００は、カード型のプラスチック上にＩＣチップ１０１を配設したカードである。また、ＩＣチップ１０１はアンテナ端子１０２を有する。ＩＣカード１００は、リモコン４０へ挿入されると、リモコン４０が備える後述するＩＣカード読取部４５ａと通信する。この通信はアンテナ端子１０２を介して、ＩＣチップ１０１に記憶される情報がリモコン４０に読み出されるものである。
【０１１４】
次に、図１３に示した解錠制御システムのリモコン４０の構成について説明する。図１８は、リモコン４０の構成を示す機能ブロック図である。同図に示すように、リモコン４０は、Ｉ／Ｆ部４１と、操作部４２と、制御部４３と、ＩＣカードリーダ／ライタ４５とを有する。さらに制御部４３は、ＩＤ変更部４３ｅと、送信部４３ｂとを含む。また、ＩＣカードリーダ／ライタ４５は、ＩＣカード１００が挿入された状態では、固有情報４５ａを含んだ状態にある。この固有情報４５ａは、具体的には「ＩＣカードＮｏ」及び「ＩＤ」である。
【０１１５】
Ｉ／Ｆ部４１は、赤外線の発光部であり受光部である。リモコン４０は、ＩＣチップ１０１から読み出した固有情報４５ａをＩ／Ｆ部４１を介して台間機３０へ送信する。また、上記した「ＩＤ」の変更があった場合に、変更された「ＩＤ」をＩ／Ｆ部４１を介して精算機２０などから受信する。
【０１１６】
操作部４２は、操作者によるリモコン操作を受け付けるものであって、具体的にはリモコン４０が有する種々の操作ボタン(リモコンキー)である。操作部４２は、ＩＣチップ１０１から読み取った「ＩＣカードＮｏ」及び「ＩＤ」を台間機３０へ送信する指示を行うための「送信ボタン」、変更された「ＩＤ」を精算機２０などから受信してＩＣチップ１０１に記憶させる指示を行うための「ＩＤ変更ボタン」などを含む。
【０１１７】
制御部４３は、精算機２０など又は台間機３０とのＩ／Ｆ部４１を介した通信の制御を行う処理部である。ＩＤ変更部４３ｅは、変更された「ＩＤ」を精算機２０などから受信してＩＣチップ１０１に記憶させる処理を行う処理部である。具体的には、リモコン４０に挿入されているＩＣカード１００の「ＩＣカードＮｏ」が、変更された「ＩＤ」に対応する「ＩＣカードＮｏ」に一致する場合に、精算機２０などから受信した「ＩＤ」で以ってＩＣチップ１０１に記憶される「ＩＤ」を変更する。送信部４３ｂは、ＩＣチップ１０１から読み出した「ＩＣカードＮｏ」及び「ＩＤ」を台間機３０へ送信する処理を行う処理部である。
【０１１８】
ＩＣカードリーダ／ライタ４５は、リモコン４０に挿入されたＩＣカード１００が有するＩＣチップ１０１から「ＩＣカードＮｏ」及び「ＩＤ」を読み出して送信部４３ｂへ渡す処理を行う処理部である。また、ＩＤ変更部４３ｅから渡された、変更された「ＩＤ」で以ってＩＣチップ１０１に記憶される「ＩＤ」を変更する処理を行う処理部である。
【０１１９】
次に、図１３に示した解錠制御システムのリモコン４０にＩＣカードが挿入された時の処理手順について説明する。図１９は、図１３に示したリモコン４０にＩＣカードが挿入された時の処理手順を示すフローチャートである。先ず、リモコン４０にＩＣカード１００が挿入されたかどうかを判定する（ステップＳ３０１）。ＩＣカードが挿入されたと判定されると（ステップＳ３０１肯定）、ＩＣカード１００のＩＣチップ１０１に記憶される固有情報を読み取って記憶部に記憶する（ステップＳ３０２）。なお、ステップＳ３０１においてＩＣカード１００が挿入されたと判定されないときには（ステップＳ３０１否定）、ステップＳ３０１を繰返すこととなる。
【０１２０】
次に、図１３に示した解錠制御システムにおける台間機３０の解錠処理の処理手順について説明する。図２０は、図１３に示した解錠制御システムにおける台間機３０の解錠処理の処理手順を示すフローチャートである。先ず、リモコン４０のロック解除ボタンが押下されたかどうかを判定する（ステップＳ４０１）。ロック解除ボタンが押下されたと判定されるならば（ステップＳ４０１肯定）、ロック解除要求信号及び記憶部に記憶される固有情報を台間機３０へ送信する（ステップＳ４０２）。ロック解除ボタンが押下されたと判定されないならば（ステップＳ４０１否定）、ステップＳ４０１を繰返すこととなる。
【０１２１】
リモコン４０からロック解除要求信号及び固有情報を受信すると、台間機３０は固有情報を管理装置１０へ送信する（ステップＳ４０３）。さらに、台間機３０から固有情報を受信すると、管理装置１０は認証処理を実行する（ステップＳ４０４）。具体的には、受信した「ＩＣカードＮｏ」に対応して設定情報１５ａに格納される「ＩＤ」と、受信した「ＩＤ」とを比較して一致するか否かを判定することによって認証処理を実行する。一致するとき認証結果を「認証ＯＫ」とし、一致しないとき認証結果を「認証ＮＧ」とする。続いて管理装置１０は、これらの認証結果を台間機３０へ送信する（ステップＳ４０５）。
【０１２２】
台間機３０は、管理装置１０から認証結果を受信したならば、この認証結果が「認証ＯＫ」であるか否かを判定する（ステップＳ４０６）。「認証ＯＫ」であると判定されるならば（ステップＳ４０６肯定）、台間機３０の解錠処理を実行する（ステップＳ４０７）。一方、「認証ＮＧ」であると判定されるならば（ステップＳ４０６否定）、台間機３０の表示部にてエラー発生の旨の表示を行う（ステップＳ４０８）。これらの処理が終了すると、台間機３０の解錠処理の処理手順は全て終了する。
【実施例３】
【０１２３】
以上本発明の実施例１及び２を説明したが、これらに限らず本発明は、上記実施例以外にも、特許請求の範囲に記載した技術的思想の範囲内において種々の異なる実施例にて実施されてもよいものである。
【０１２４】
実施例１では、台間機３０の解錠を許可するための認証処理を台間機３０で行うとしたが、これに限らず、管理装置１０や、遊技機システムのネットワークに接続される認証処理用の専用装置を別に用意して、この装置にて行うようにしてもよい。
【０１２５】
実施例１では、台間機３０の解錠を許可するための解錠許可認証情報の変更処理を管理装置で、該解錠許可認証情報のリモコン４０に対する変更処理を精算機２０で行うこととしたが、これに限らず、これらの処理は、遊技機システムのネットワークに接続される、リモコン４０とは異なる何れの装置にて行うこととしてもよい。
【０１２６】
実施例１では、１台のリモコン４０によって全ての台間機３０の解錠操作を行うことが可能とした。しかしこれに限らず、Ｔ／Ｃ１０のリモコン３０毎に、遊技機島単位で台間機３０の解錠操作の権限の有無を設定情報１５ａに規定することとしてもよい。このようにすることによって、特定のリモコン４０が特定の遊技機島に属する台間機３０の解錠操作を行うように、リモコン４０の解錠操作対象を分散させることができ、更なるセキュリティの確保を図ることができる。
【０１２７】
実施例１では、リモコン４０は報知ＬＥＤ４０ｃを備えることとし、リモコン４０側でのリモコンＩＤの変更が正常に終了したことを、報知ＬＥＤ４０ｃをごく短い所定時間点灯させることにより報知することとした。しかしこれに限らず、例えばリモコン４０側でのリモコンＩＤの変更が行われると常時点灯することによって有効なリモコンＩＤが記憶されていることを報知するものであってもよい。この場合、変更されたリモコンＩＤに有効期間を設け、リモコンＩＤは所定時間毎に例えば１日毎に変更されるものとし、この有効期間を過ぎると、リモコン４０側で自動的に報知ＬＥＤ４０ｃの消灯を行うよう制御することとする。このようにすると、何れのリモコン４０が有効なリモコンＩＤを記憶しているか否かが明確となるので、誤って有効でないリモコンＩＤを記憶するリモコン４０を使用しようとする不効率を防止することができる。また、報知ＬＥＤ４０ｃとは別に、リモコン４０に小型のＬＣＤを設け、このＬＣＤにリモコンＩＤを表示することとしてもよい。このようにすると、リモコンＩＤを目視で確認して、有効なリモコンＩＤを記憶するリモコン４０を選択して使用することができる。このようにしても、誤って有効でないリモコンＩＤを記憶するリモコン４０を使用しようとする不効率を防止することができる。
【０１２８】
実施例１では、精算機２０とリモコン４０との間で赤外線通信を行い、リモコン４０の記憶部４４のリモコンＩＤを変更することによって解錠要求用の認証情報を変更することとしたが、これに限らずその他の通信方法による通信、例えば電波を使用する無線通信や有線通信を行うこととしてもよい。
【０１２９】
実施例１では、先に管理装置１０で台間機３０の解錠のための解錠許可認証情報としてのリモコンＩＤが変更され、この変更に応じて精算機２０にてリモコン４０に記憶されるリモコンＩＤを変更することとした。しかしこれに限らず、先にリモコン４０にて解錠要求認証情報としてのリモコンＩＤが変更され、これに応じて管理装置１０に登録されているリモコンＩＤが変更されることとしてもよい。
【０１３０】
実施例２におけるＩＣカード１００は、従業員ＩＤカードであるとしたが、カード発行機や精算機２０にて発行される、例えばプリペイドカードなどであってもよい。また、ＩＣカードに限らず磁気カード、磁気ストライプを有するカードなどであってもよい。また、ＩＣカードは接触型ＩＣカードとしたが、ＩＣチップとともにアンテナコイルが配設された非接触型ＩＣカードであってもよい。また、これらの記録媒体は必ずしもリモコン４０に着脱可能である媒体である必要は無く、例えば非接触型ＩＣタグを用いてもよい。非接触型ＩＣカードや非接触型ＩＣタグは、リモコン４０に近接させてリモコンＩＤなどの情報を読み取らせることとなる。
【０１３１】
実施例２では、台間機３０の解錠を許可するための認証処理を管理装置１０で行うとしたが、これに限らず、台間機３０や、遊技機システムのネットワークに接続される認証処理用の専用装置を別に用意して、この装置にて行うようにしてもよい。
【産業上の利用可能性】
【０１３２】
以上のように、本発明に係る解錠制御システム及び解錠制御方法は、セキュリティを確保しつつリモコンによる解錠操作の煩雑さを改善したい場合に有用であり、特に、遊技店における紙幣回収作業においてリモコンによる台間機などの紙幣を施錠して貯留する装置の解錠に適している。
【図面の簡単な説明】
【０１３３】
【図１】実施例１に係る遊技媒体貸出システムの特徴を示す図である。
【図２】実施例１の遊技媒体貸出システムのネットワーク構成例を示す図である。
【図３】実施例１の精算機の外観を示す図である。
【図４】実施例１のリモコンの外観を示す上面図である。
【図５】実施例１の管理装置の内部構成を示すブロック図である。
【図６】実施例１の設定情報の一例を示す図である。
【図７】実施例１の精算機の内部構成を示すブロック図である。
【図８】実施例１の精算機の画面例を示す図である。
【図９】実施例１の精算機の画面例を示す図である。
【図１０】実施例１のリモコンの内部構成を示すブロック図である。
【図１１】実施例１の初期処理における処理手順を示すフローチャートである。
【図１２】実施例１のリモコン変更処理における処理手順を示すフローチャートである。
【図１３】実施例２に係る遊技媒体貸出システムの特徴を示す図である。
【図１４】実施例２の管理装置の内部構成を示すブロック図である。
【図１５】実施例２の台間機の内部構成を示すブロック図である。
【図１６】実施例２の設定情報の一例を示す図である。
【図１７】実施例２のＩＣカードの外観を示す上面図である。
【図１８】実施例２のリモコンの内部構成を示すブロック図である。
【図１９】実施例２のＩＣカードが挿入時における処理手順を示すフローチャートである。
【図２０】実施例２の解錠処理の処理手順を示すフローチャートである。
【符号の説明】
【０１３４】
１０    管理装置
１１    入力部
１２    出力部
１３    Ｉ／Ｆ部
１４、２４、３６    制御部
１４ａ    リモコンＩＤ変更部
１４ｂ    設定情報送信部
１４ｃ    認証部
１５、２５、４４    記憶部
１５ａ    設定情報
２０    精算機
２０ａ    ＬＣＤ／タッチパネル
２０ｂ    赤外線送受光部
２１    表示操作部
２２、４１    Ｉ／Ｆ部
２３    リモコンＩ／Ｆ部
２４ａ    リモコンＩＤ要求部
２４ｂ    リモコンＩＤ受信部
２４ｃ    リモコンＩＤ変更指示部
２５ａ    リモコンＩＤ変更情報
３０    台間機
３１    リモコンＩ／Ｆ部
３６ａ    解錠指示受取部
３６ｂ    認証結果判定部
３６ｃ    解錠処理部
３６ｄ、４３ｂ    送信部
３６ｅ    受信部
４０    リモコン
４０ａ    変更確認ボタン
４０ｂ    変更ボタン
４０ｃ    報知ＬＥＤ
４０ｄ    ロック解除ボタン
４０ｅ    カード回収ボタン
４０ｆ    エラー解除ボタン
４２    操作部
４３    制御部
４３ａ    リモコンＩＤ変更部
４３ｅ    ＩＤ変更部
４４ａ    固有情報
４５    ＩＣカードリーダ／ライタ
４５ａ    固有情報
１００    ＩＣカード
１０１    ＩＣチップ
１０２    アンテナ端子
【図１】
2007125172.tif 000003
【図２】
2007125172.tif 000004
【図３】
2007125172.tif 000005
【図４】
2007125172.tif 000006
【図５】
2007125172.tif 000007
【図６】
2007125172.tif 000008
【図７】
2007125172.tif 000009
【図８】
2007125172.tif 000010
【図９】
2007125172.tif 000011
【図１０】
2007125172.tif 000012
【図１１】
2007125172.tif 000013
【図１２】
2007125172.tif 000014
【図１３】
2007125172.tif 000015
【図１４】
2007125172.tif 000016
【図１５】
2007125172.tif 000017
【図１６】
2007125172.tif 000018
【図１７】
2007125172.tif 000019
【図１８】
2007125172.tif 000020
【図１９】
2007125172.tif 000021
【図２０】
2007125172.tif 000022